(57)【要約】【課題】物品を収容した包装箱を積載面に積み重ねたときに、包装箱に胴膨れが生じにくいパレットを提供する。【解決手段】パレット１の積載面２の周縁部２Ｂを積載面２の中央部２Ａよりも低くする。【選択図】図１
2008120437.tif 000002
【特許請求の範囲】
【請求項１】
物品を収容した包装箱（７）を積載面（２）に積み重ねるパレット（１）において、前記積載面（２）の周縁部（２Ｂ）を前記積載面（２）の中央部（２Ａ）よりも低くしたことを特徴とするパレット。
【発明の詳細な説明】
【技術分野】
【０００１】
この発明は、物品を収容した包装箱を積載面に積み重ねたときに、包装箱に胴膨れが生じにくいパレットに関する。
【背景技術】
【０００２】
倉庫内や物流過程で貨物を運搬したり、倉庫内で貨物を保管する場合、貨物の運搬や保管は、パレットに積み重ねた状態で行なうことが多い。
【０００３】
このパレットの積載面に、複数本の飲料ペットボトルを収容した段ボール箱や、飲料水が充填されたプラスチック製の袋を収容した段ボール箱など、物品を収容した包装箱を複数段に積み重ねると、上段の包装箱の重みによって下段の包装箱がたわみ、下段の包装箱の側面が外側に膨らんだ状態（胴膨れ状態）となることがある。胴膨れ状態になると、パレットに積み重ねた包装箱の外観が損なわれ、包装箱の中の物品が上から押し潰される印象を看者に与える。さらに、胴膨れが大きいと、包装箱の側面に折り目が入り、包装箱の圧縮強度が低下するおそれもある。
【０００４】
ここで、積載面に高低差を設けたパレットとして、中央が低くなる方向に積載面を傾斜させたパレットが知られているが（特許文献１，２）、このパレットは、積載面に積み重ねた貨物を内側に傾かせることによって、貨物が外側に崩れるのを防止するものであり、このパレットでは、物品を収容した包装箱を積載面に積み重ねたときに、包装箱に胴膨れが生じるのを防止することができない。
【特許文献１】実開昭６０−１７５０２８号公報
【特許文献２】実開平１−６１０３８号公報
【発明の開示】
【発明が解決しようとする課題】
【０００５】
この発明が解決しようとする課題は、物品を収容した包装箱を積載面に積み重ねたときに、包装箱に胴膨れが生じにくいパレットを提供することである。
【課題を解決するための手段】
【０００６】
上記の課題を解決するために、積載面の周縁部を積載面の中央部よりも低くした。
【発明の効果】
【０００７】
この発明のパレットは、物品を収容した包装箱を複数段に積み重ねたときに、積載面の周縁部が積載面の中央部よりも低い位置で包装箱を支持して包装箱の側面を下に逃がすので、包装箱の側面がたわみにくく、胴膨れを生じにくい。
【発明を実施するための最良の形態】
【０００８】
図１に、この発明の実施形態のパレットを示す。このパレット１はプラスチックからなり、方形状の積載面２を有する。
【０００９】
積載面２は、接地面３と平行に形成された中央部２Ａと、中央部２Ａを囲む周縁部２Ｂとからなり、中央部２Ａと周縁部２Ｂの間には、周縁部２Ｂが中央部２Ａよりも低くなる段差４が設けられている。
【００１０】
また、パレット１の各側面５には、左右一対の差込口６，６が開口しており、差込口６，６にフォークリフトのフォーク（図示せず）を差し込んでパレット１を搬送可能となっている。
【００１１】
このパレット１の使用例を説明する。図２に示すように、物品を収容した段ボール箱７（たとえば、複数本の飲料ペットボトルを収容した段ボール箱や、飲料水が充填されたプラスチック製の袋を収容した段ボール箱）を、積載面２の中央部２Ａと周縁部２Ｂにまたがった位置に複数段に積み重ねる。このように、積載面２に段ボール箱７を積み重ねたパレット１を、フォークリフト等を用いて倉庫内や物流過程で運搬したり、倉庫内で保管する。
【００１２】
このパレット１は、物品を収容した段ボール箱７を、積載面２の中央部２Ａと周縁部２Ｂにまたがった位置に複数段に積み重ねたときに、積載面２の周縁部２Ｂが、図３（ａ）に示すように、積載面２の中央部２Ａよりも低い位置で段ボール箱を支持し、段ボール箱７の側面８を下に逃がす。そのため、図３（ｂ）に示すように、従来のパレット９に段ボール箱７を積み重ねる場合に比べて、段ボール箱７の側面８がたわみにくく、胴膨れが生じにくい。
【００１３】
上記実施形態のパレット１は、積載面２の中央部２Ａと周縁部２Ｂをプラスチック成形により一体に形成してもよいが、段差４のない従来のパレットの上面に薄板を接着して形成してもよい。この場合、薄板の上面が積載面２の中央部２Ａに対応し、パレットの上面の薄板を除く部分が積載面２の周縁部２Ｂに対応する。
【００１４】
また、上記実施形態のパレット１は、たとえば、一辺の長さが１１００ｍｍの正方形状の積載面２を有する厚さ１５０ｍｍのものを用いることができ、この場合、段差４の高さは、３〜１０ｍｍの範囲から選択することができ、また、積載面２の周縁部２Ｂの幅は、３０〜１００ｍｍの範囲から選択することができる。このように、積載面２の中央部２Ａは、積載面２の全面積のうちの６５〜９０％の面積を占めるように大きさを設定するとよく、さらに、パレット１に積載する段ボール箱７の寸法が１つに定まっている場合、積載面２の中央部２Ａは、積載面２の全面積のうちの８０〜９０％の面積を占めるように大きさを設定するとよい。
【００１５】
上記実施形態では、積載面２の中央部２Ａと周縁部２Ｂの間に段差４を設けることによって、周縁部２Ｂが中央部２Ａよりも低くなるようにしているが、積載面２の中央部２Ａと周縁部２Ｂの間に段差４を設けるかわりに、図４に示すように、積載面１０の中央部１０Ａを囲む周縁部１０Ｂを、中央部１０Ａから離れるに従って低くなる方向に傾斜させることによって、周縁部１０Ｂが中央部１０Ａより低くなるようにしてもよい。要は、積載面の周縁部が中央部よりも低くなればよい。
【実施例１】
【００１６】
図１に示す発明品のパレットと、積載面に段差のない従来のパレットに、それぞれ、５００ｍｌ入りの飲料ペットボトルを２４本収容した段ボール箱（Ｂフルート、ラップアラウンドケース）を２段に積み重ね、２週間放置した。その結果、従来のパレットに積み重ねた段ボール箱のうちの下段の段ボール箱は、側面が外側に１４ｍｍたわんだのに対し、図１に示す発明品のパレットに積み重ねた段ボール箱のうちの下段の段ボール箱は、側面が外側に６ｍｍしかたわまなかった。この試験結果を見ても、この発明のパレットに積み重ねた段ボール箱に胴膨れが生じにくいことが判る。
【図面の簡単な説明】
【００１７】
【図１】この発明の実施形態のパレットを示す斜視図
【図２】図１のパレットの積載面に段ボール箱を積み重ねた状態を示す斜視図
【図３】（ａ）は、図２のパレットに積み重ねた段ボール箱のたわみの状態を示す断面図、（ｂ）は、従来のパレットに積み重ねた段ボール箱のたわみの状態を示す断面図
【図４】図１のパレットの変形例を示す斜視図
【符号の説明】
【００１８】
１      パレット
２      積載面
２Ａ    中央部
２Ｂ    周縁部
７      段ボール箱
１０    積載面
１０Ａ  中央部
１０Ｂ  周縁部
【図１】
2008120437.tif 000003
【図２】
2008120437.tif 000004
【図３】
2008120437.tif 000005
【図４】
2008120437.tif 000006